(57)【要約】【課題】資材運搬用車両の運転手や建設作業者等が仮囲い外部からガードマンボックス内を覗けるようにして、伝票のやり取りや入場の確認を簡単にできると共に、またガードマンもガードマンボックス内から仮囲い外部を見渡すことができ、資材運搬用車両や建設作業者等に気づいて、パネルゲートを直ぐに開放することができるようにした仮囲いを提供する。【解決手段】パネルゲート２を取り付けた出入口用開口の近傍の仮囲いを構成する仮囲い板１に受付窓３を形成し、この受付窓３がガードマンボックス４の受付窓になるように、仮囲いの裏側に前記ガードマンボックス４を設置したものとしている。【選択図】図１
2008156888.tif 000002
【特許請求の範囲】
【請求項１】
パネルゲート（２）を取り付けた出入口用開口の近傍の仮囲いを構成する仮囲い板（１）に受付窓（３）を形成し、この受付窓（３）がガードマンボックス４の受付窓になるように、仮囲いの裏側に前記ガードマンボックス（４）を設置したことを特徴とする仮囲い。
【請求項２】
前記受付窓（３）に、ガードマンボックス（４）の受付窓（９）を対面させるようにしたことを特徴とする請求項１記載の仮囲い。
【請求項３】
前記仮囲い板（１）が、ガードマンボックス（４）を構成する壁面（４ａ）の一壁面になるようにしたことを特徴とする請求項１記載の仮囲い。
【発明の詳細な説明】
【技術分野】
【０００１】
この発明は、建設現場や資材置場等で安全に作業するために、これら建設現場や資材置場等を取り囲んでおく仮囲いに関するものである。
【背景技術】
【０００２】
従来、この種の仮囲いは、例えば図６に示したように、複数枚の仮囲い板２１を縦列させて互いに連結することにより建設現場や資材置場等を取り囲み、道路等に面した個所にパネルゲート２２を取り付けた出入口用開口を設け、このパネルゲート２２を開閉操作することにより、出入口用開口から資材運搬用車両や建設作業者等の出入りを行えるようにしている（特許文献１）。
【０００３】
なお、パネルゲート２２は、パネル２３を折り畳み可能に縦列させてアコーデオンカーテン式の門扉を構成している。図中、２４はレール、２５はこのレール２４に上端がスライド自在に係合して吊り下げられて、パネル２３を吊着するスライドシャフトである。
【特許文献１】特開平８−６８２８２号公報（第２頁、図４）
【発明の開示】
【発明が解決しようとする課題】
【０００４】
しかしながら、従来の仮囲いでは、資材運搬用車両や建設作業者等が出入りを行う場合に、パネルゲート２２が開放されているときには、その車両の運転手や作業者等が出入口用開口から仮囲い内部に入ってからでないと、パネルゲート２２の傍に設けられたガードマンボックス内に待機しているガードマンと伝票のやり取りができなかったり、ガードマンに入場の確認をしてもらえないという問題点を有していた。
【０００５】
また、従来の仮囲いでは、資材運搬用車両や建設作業者等が出入りを行う場合に、パネルゲート２２が閉鎖されているときには、その車両の運転手や作業者等がパネルゲート２２に設けられた人の出入り専用の小さなドア（図示せず）を叩いたり、仮囲い外部からクラクションを鳴らす等して、ガードマンにそのパネルゲート２２を仮囲い内部から開放してもらわなければならないという問題点を有していた。
【０００６】
さらに、従来の仮囲いでは、上記したような場合に、ガードマンが窓を締め切ったガードマンボックス内に入っていたり、パネルゲート２２の近くに居なかったりすると、ドアを叩いたり、仮囲い外部からクラクションを鳴らす等しても、その叩く音やクラクションの音がガードマンに届かず、パネルゲート２２を開放してもらえないという問題点を有していた。
【０００７】
そこで、この発明は、上記従来の問題点を解決するものであり、資材運搬用車両の運転手や建設作業者等が仮囲い外部からガードマンボックス内を覗けるようにして、伝票のやり取りや入場の確認を簡単にできると共に、またガードマンもガードマンボックス内から仮囲い外部を見渡すことができ、資材運搬用車両や建設作業者等に気づいて、パネルゲートを直ぐに開放することができるようにした仮囲いを提供することを目的としてなされたものである。
【課題を解決するための手段】
【０００８】
そのため、この発明の仮囲いは、パネルゲート２を取り付けた出入口用開口の近傍の仮囲いを構成する仮囲い板１に受付窓３を形成し、この受付窓３がガードマンボックス４の受付窓になるように、仮囲いの裏側に前記ガードマンボックス４を設置したものとしている。
【０００９】
そして、この発明の仮囲いは、前記受付窓３に、ガードマンボックス４の受付窓９を対面させるようにしている。
【００１０】
さらに、この発明の仮囲いは、前記仮囲い板１が、ガードマンボックス４を構成する壁面４ａの一壁面になるようにしている。
【発明の効果】
【００１１】
この発明の仮囲いは、以上に述べたように構成されているので、資材運搬用車両の運転手や建設作業者等が仮囲い外部からガードマンボックス内を覗けるようになり、伝票のやり取りや入場の確認を簡単にできると共に、またガードマンもガードマンボックス内から仮囲い外部を見渡すことができるようになり、資材運搬用車両や建設作業者等に気づいて、パネルゲートを直ぐに開放できるようになる。
【発明を実施するための最良の形態】
【００１２】
以下、この発明の仮囲いの実施の形態を、図面に基づいて詳細に説明する。
【００１３】
この発明の仮囲いは、図１に示したように、複数枚の仮囲い板１を縦列させて互いに連結することにより建設現場や資材置場等を取り囲み、道路等に面した個所にパネルゲート２を取り付けた出入口用開口を設け、このパネルゲート２を開閉操作することにより、出入口用開口から資材運搬用車両や建設作業者等の出入りを行えるようにしている。
【００１４】
そして、前記パネルゲート２を取り付けた出入口用開口の近傍の仮囲いを構成する仮囲い板１に受付窓３を形成し、この受付窓３がガードマンボックス４の受付窓になるように、仮囲いの裏側に前記ガードマンボックス４を設置したものとしている。
【００１５】
なお、前記パネルゲートは、パネル５を折り畳み可能に縦列させてアコーデオンカーテン式の門扉を構成している。図中、６はレール、７はこのレール６に上端がスライド自在に係合して吊り下げられて、パネル５を吊着するスライドシャフト、８はパネル５に設けられた人の出入り専用の小さなドアである。
【００１６】
そして、この発明の仮囲いは、図２、３に示したように、前記仮囲い板１に形成した受付窓３に、ガードマンボックス４の受付窓９を対面させるようにして、仮囲いの裏側にガードマンボックス４を設置したものとしている。このようにすると、仮囲い板１に形成した受付窓３は、ガードマンボックス４の受付窓９として兼用することができる。
【００１７】
図示した例では、仮囲い板１に形成した受付窓３は、ガードマンボックス４の受付窓９と同じ大きさにしているが、異なっていてもよい。しかし、仮囲い板１に形成した受付窓３とガードマンボックス４の受付窓９の大きさが余りにも異なると、位置合わせが難しかったり、外観が悪くなるので、両者は同じ大きさにしなくても、略同じ大きさにするのが好ましい。
【００１８】
また、仮囲い板１を縦列させて互いに連結した三枚に渡って受付窓３を形成したものとしているが、これを二枚にしても四枚以上にしてもよいが、ガードマンボックス４の受付窓９の大きさによって異なってくるのはいうまでもない。なお、仮囲い板１を縦列させて互いに連結した複数枚にするのではなく、幅広とした一枚物の仮囲い板１を用いて、この仮囲い板１の一枚に受付窓３を形成したものとしてもよい。
【００１９】
さらに、図示した例では、仮囲い板１の受付窓３、ガードマンボックス４の受付窓９の双方にガラス戸１０を取り付けたものとしているが、いずれか一方にのみガラス戸１０を取り付けたものとしてもよい。
【００２０】
また、図示した例では、ガードマンボックス４の受付窓９は、ガードマンボックス４の四方を囲む壁面４ａの一壁面４ａに設けたものとし、この受付窓９の反対側の壁面４ａに、ドア１１を設けたものとしている。なお、ドア１１は、前記受付窓９に隣り合う壁面４ａに設けたものとしてもよい。
【００２１】
さらに、この発明の仮囲いは、図４、５に示したように、前記受付窓３を形成した仮囲い板１が、ガードマンボックス４を構成する壁面４ａの一壁面になるようにして、仮囲いの裏側にガードマンボックス４を設置したものとしている。このようにすると、仮囲い板１に形成した受付窓３は、ガードマンボックス４の受付窓となる。
【００２２】
図示した例では、仮囲い板１を縦列させて互いに連結した三枚に渡って受付窓３を形成したものとしているが、これを二枚にしても四枚以上にしてもよいが、ガードマンボックス４の大きさによって異なってくるのはいうまでもない。なお、仮囲い板１を縦列させて互いに連結した複数枚にするのではなく、幅広とした一枚物の仮囲い板１を用いて、この仮囲い板１の一枚に受付窓３を形成したものとしてもよい。
【００２３】
また、図示した例では、仮囲い板１に形成した受付窓３の反対側の壁面４ａに、ドア１１を設けたものとしているが、このドア１１は、前記受付窓３に隣り合う壁面４ａに設けたものとしてもよい。
【００２４】
さらに、図示した例では、仮囲い板１に形成した受付窓３には、引き戸としたガラス戸１０を取り付けたものとしているが、このガラス戸１０は開き戸とすることもできる。
【００２５】
以上のように構成したこの発明の仮囲いは、資材運搬用車両や建設作業者等が出入りを行う場合に、パネルゲート２が開放されていようと閉鎖されていようとも、その車両の運転手や作業者等は、仮囲い板１に形成した受付窓３からガードマンボックス４内を覗けるようになり、ガードマンボックス４内に待機しているガードマンと伝票のやり取りができるようになると共に、ガードマンに入場の確認を簡単にしてもらえるようになり、非常に便利なものとなる。
【００２６】
さらに、この発明の仮囲いは、資材運搬用車両や建設作業者等が出入りを行う場合に、ガードマンも仮囲い板１に形成した受付窓３から仮囲い外部を見渡すことができ、資材運搬用車両や建設作業者等に気づくので、パネルゲートを直ぐに開放できるようになり、非常に便利なものとなる。
【図面の簡単な説明】
【００２７】
【図１】この発明の仮囲いの正面図である。
【図２】この発明の仮囲いの一実施形態を示す説明図である。
【図３】図２に示すこの発明の仮囲いの断面図である。
【図４】この発明の仮囲いの他実施形態を示す説明図である。
【図５】図４に示すこの発明の仮囲いの断面図である。
【図６】従来の仮囲いの説明図である。
【符号の説明】
【００２８】
１  仮囲い板
２  パネルゲート
３  受付窓
４  ガードマンボックス
４ａ  壁面
９  受付窓
【図１】
2008156888.tif 000003
【図２】
2008156888.tif 000004
【図３】
2008156888.tif 000005
【図４】
2008156888.tif 000006
【図５】
2008156888.tif 000007
【図６】
2008156888.tif 000008